(57)【要約】【課題】クオークの軌道はどのようであるか。【解決手段】2016年5月10日に提出した特願2016−094933「クオーク２」に於いて、地表のクオークのエネルギーを(3×108)分の1として計算した。それで、軌道は3×108倍に成っている。しかし、地表の陽子の中で、例えば、3.1MeVのuクオークの質量エネルギーは3.1MeVです。それで、今まで考えてきた地表のクオークのエネルギーを訂正し、クオークの軌道を改めて考える。「粒子の質量と電磁気の質量の統一」ができるので、電磁気1個の軌道エネルギーは、1.233×10−41Jmであり、クオークは6.249×108個の電磁気が結合した物ですから、クオークの軌道エネルギーは、1.233×10−41Jm×6.249×108＝7.705×10−33Jmです。電子や陽子のその他の粒子は電磁気が7.028×1017個結合した物ですから、粒子の軌道エネルギーは、1.233×10−41Jm ×7.028×1017＝8.665×10−24Jmです。【選択図】図１
2018007322.tif 000002
【特許請求の範囲】
【請求項１】
Δ−(1232)の構成は、Δ−(1232)のラブとdクオークと、dクオークと、dクオークです。どのような構造になっているか。
Δ−(1232)の質量エネルギーは1231MeV〜1233MeVですから、中間の値で、1232MeV＝1232×1.602×10-19J×106＝1.974×10-10J とする。
dクオークは4.1MeV〜5.7MeVですから、4.1MeVのdクオークと、4.9MeVの dクオークと、5.7MeVのdクオークとする。
Δ−(1232)の質量エネルギー＝Δ−(1232)のラブの質量エネルギー＋4.1MeVのdクオーク＋4.9MeVの dクオーク＋5.7MeVのdクオーク
Δ−(1232)のラブの質量エネルギー＝Δ−(1232)の質量エネルギー-(4.1MeVのdクオーク＋4.9MeVの dクオーク＋5.7MeVのdクオーク)
Δ−(1232)のラブの質量エネルギー＝1232MeV-(4.1MeV＋4.9MeV＋5.7MeV)＝1232MeV-14.7MeV=1217.3MeV＝1217.3×1.602×10-19J×106＝1.950×10-10J
Δ−(1232)のラブの公転軌道は、8.665×10-24Jm÷(1.950×10-10J)＝4.444×10-14m、です。
1公転でできる電気の光子1個のエネルギーは、1.233×10-41Jm÷(4.444×10-14m)＝2.775×10-28J、です。
Δ−(1232)のラブの電磁気数は、Δ−(1232)のラブの質量エネルギー÷電気の光子1個のエネルギー＝1.950×10-10J÷(2.775×10-28J)＝7.027×1017(個)
磁気の光子の自転軌道＝電気の光子の公転軌道×3.14÷1公転の自転数＝4.444×10-14m×3.14÷(4.34×104回)＝3.215×10-18m
磁気の光子1個のエネルギー＝電気の光子1個のエネルギー÷1公転の自転数＝2.775×10-28J÷(4.34×104回)＝6.394×10-33J
Δ−(1232)のラブができた場のA＝地表の電子のラブの公転軌道÷Δ−(1232)のラブの公転軌道＝1.058×10-10m÷(4.444×10-14m)＝2.381×103
この事を表に示す。
Δ−(1232)を構成する物
表１６
2018007322.tif 000018
【請求項２】
Δ−(1232)はΔ−(1232)のラブと4.1MeV のdクオークと4.9MeV のdクオークと5.7MeV のdクオークによって構成される。どのように回転しているか。１
Δ−(1232)のラブの公転軌道は4.444×10-14mです。
この周囲をdクオークは回転している。
4.1MeV のdクオークの軌道はいくらか。
軌道＝2.312×10−24Jm÷クオークのエネルギー＝2.312×10−24Jm÷(4.1×1.602×10-19J×106)＝2.312×10−24Jm÷(6.568×10-13J)＝3.520×10-12m
4.1MeV のdクオークの軌道は3.520×10-12mです。
4.9 MeV のdクオークの軌道はいくらか。
軌道＝2.312×10−24Jm÷クオークのエネルギー＝2.312×10−24Jm÷(4.9×1.602×10-19J×106)＝2.312×10−24Jm÷(7.850×10-13J)＝2.945×10-12m
4.9MeV のdクオークの軌道は2.945×10-12mです。
5.7 MeV のdクオークの軌道はいくらか。
軌道＝2.312×10−24Jm÷クオークのエネルギー＝2.312×10−24Jm÷(5.7×1.602×10-19J×106)＝2.312×10−24Jm÷(9.131×10-13J)＝2.532×10-12m
まとめて表に示す。
Δ−(1232)のラブの自転軌道と公転軌道とその周囲を回転する4.1MeV のdクオークの軌道と4.9MeV のdクオークの軌道と5.7MeV のdクオークの軌道
表１７
2018007322.tif 000019
Δ−(1232)は、Δ−(1232)のラブが3.215×10-18mの軌道を自転しながら、4.444×10-14mの軌道を公転している。
その外側の2.532×10-12m の軌道を5.7MeV のdクオークは左回転している。更にその外側の2.945×10-12m の軌道を4.9MeV のdクオークは左回転している。最も外側の3.520×10-12m の軌道を4.1MeV のdクオークは左回転している。
【請求項３】
軌道とエネルギーの計算
Δ−(1232)のラブは3.215×10-18mの軌道を自転し、作る磁気の光子1個のエネルギーは6.394×10-33Jです。1公転は4.34×104自転ですから、1公転で作る磁気の光子のエネルギーは、6.394×10-33J×4.34×104自転＝2.775×10-28Jです。
同時に、Δ−(1232)のラブは4.444×10-14mの軌道を公転し、1公転で、2.775×10-28Jの電気の光子を作ります。
Δ−(1232)のラブが作る磁気の光子のエネルギーと電気の光子のエネルギーは等しい。
この電気の光子と磁気の光子は、2.532×10-12mの軌道で、6.249×108個結合し1塊に成り5.7MeV のdクオークに成っている。
この電気の光子を結合させているのは、磁気の光子で、磁気の光子の総数は、電気の光子の数×4.34×104自転＝6.249×108個×4.34×104自転＝2.712×1013個、です。
電気の光子1個のエネルギーは、1.233×10-41Jm÷(2.532×10-12m)＝4.870×10-30J、です。
クオークは電磁気が6.249×108個集まり、1塊に成ったものですから、このエネルギーは、6.249×108個×4.870×10-30J＝3.043×10-21J、です。
5.7MeV=5.7×1.602×10-19J×106＝9.131×10-13J
5.7MeVは何個の電気の光子のエネルギーか。
9.131×10-13J÷(4.870×10-30J)＝1.875×1017個
5.7MeVは1.875×1017個の電気の光子のエネルギーです。
これは、6.249×108個の何倍か。
1.875×1017個÷(6.249×108個)＝3.000×108倍
これは、6.249×108個の3.000×108倍です。
即ち、電気の光子の軌道が2.532×10-12mの場合、電気の光子1個のエネルギーは4.870×10-30Jであり、6.249×108個集まったエネルギーは3.043×10-21Jです。
このエネルギーは5.7MeVの3.000×108分の1です。
このように成った原因は、地表のエネルギーを5.7MeVの(3×108)分の1のエネルギー＝9.131×10-13J÷(3×108)=3.044×10-21J、としたからです。
そうすると、電磁気1個のエネルギーは、3.044×10-21J÷(6.249×108個)＝4.871×10−30Jで、この軌道は、1.233×10−41Jm÷(4.871×10−30J)＝2.531×10−12m、です。
Δ−(1232)の中のクオークのエネルギーは5.7MeVですから、この電磁気の軌道です。
即ち、電磁気1個のエネルギーは、5.7MeV÷(6.249×108個)＝9.131×10-13J÷(6.249×108個)＝1.461×10−21J、です。この電磁気の軌道は、1.233×10−41Jm÷(1.461×10−21J)＝8.439×10−21m、です。
これは、2016年5月10日に提出した、特願2016−094933「クオーク２」の高エネルギー加速器の中のデータ−です。
それで、今まで提出した、課題、中心の物とクオークはどのように回転しているか、を訂正しなければならない。
この訂正は次回の特許出願で行う事とする。
この事を表に示す。
2016年5月10日に提出した、特願2016−094933「クオーク２」の高エネルギー加速器の中と地表のデータ−
5.7MeVのdクオークの場合
表１８
2018007322.tif 000020
地表のクオークのエネルギーを9.131×10−13J÷(3×108)＝3.044×10−21Jとしている。
それで、軌道は2.531×10−12mになっている。
しかし、地表の5.7MeVのdクオークのエネルギーは5.7MeV＝9.131×10−13Jです。
軌道は8.439×10−21mです。
【請求項４】
クオークの軌道の計算はどのようにするべきか。
電子のラブや陽子のラブの軌道は、軌道＝8.665×10−24Jm÷エネルギー、の式で求められた。
電磁気1個の場合は、軌道＝1.233×10−41Jm÷電磁気1個のエネルギー、の式で求められた。
そして、2016年6月9日に提出した、特願2016−114926「陽子、Δ＋(1232)、Σ＋、Λ＋c  」の「請求項１５」に於いて次のように記した。
(15．粒子の軌道エネルギーは8.665×10−24Jmです。電磁気の軌道エネルギーは1.233×10−41Jmです。この事は何を意味するか。
粒子の軌道エネルギーは電磁気の軌道エネルギーの何倍か。
粒子の軌道エネルギー÷電磁気の軌道エネルギー＝8.665×10−24Jm÷(1.233×10−41Jm)＝7.028×1017
粒子の軌道エネルギーは電磁気の軌道エネルギーの7.028×1017倍です。
この事は、電磁気が7.028×1017個集まり粒子に成る事を示す。
この事は、軌道エネルギー＝軌道質量エネルギー、です。
「粒子の質量と電磁気の質量の統一」より、
エネルギー＝質量エネルギー、であるからです。
粒子の軌道エネルギー＝電磁気の軌道エネルギー×7.028×1017
粒子の軌道質量エネルギー＝電磁気の軌道質量エネルギー×7.028×1017
この事は、電磁気が7.028×1017個集まり粒子に成る事を示す)
上記の事より、クオークは、電磁気が6.249×108個集まり、塊に成った物であるから、クオークの軌道エネルギーは、電磁気1個の軌道エネルギー×6.249×108＝1.233×10−41Jm×6.249×108＝7.705×10−33Jm、であると考えられる。
それで、5.7MeVのクオークの軌道は、軌道＝7.705×10−33Jm÷5.7MeV＝7.705×10−33Jm÷(9.131×10-13J)＝8.438×10−21m、です。
このデータ−は、2016年5月10日に提出した、特願2016−094933「クオーク２」の高エネルギー加速器の中のデータ−と同じです。
よって、クオークの軌道エネルギーは、7.705×10−33Jmです。
この事を表に記す。
軌道エネルギー
表１９
2018007322.tif 000021
【請求項５】
Δ−(1232)はΔ−(1232)のラブと4.1MeV のdクオークと4.9MeV のdクオークと5.7MeV のdクオークによって構成される。どのように回転しているか。２
Δ−(1232)のラブの公転軌道は4.444×10-14mです。
この中をクオークは回転している。
5.7MeVのdクオークの軌道はいくらか。
軌道＝7.705×10−33Jm÷クオークのエネルギー＝7.705×10−33Jm÷(5.7×1.602×10−19J×106)＝7.705×10−33Jm÷(9.131×10−13J)＝8.438×10−21m
4.9MeV のdクオークの軌道はいくらか。
軌道＝7.705×10−33Jm÷クオークのエネルギー＝7.705×10−33Jm÷(4.9×1.602×10−19J×106)＝7.705×10−33Jm÷(7.850×10−13J)＝9.815×10−21m
4.1MeV のdクオークの軌道はいくらか。
軌道＝7.705×10−33Jm ÷クオークのエネルギー＝7.705×10−33Jm÷(4.1×1.602×10-19J×106)＝7.705×10−33Jm÷(6.568×10−13J)＝1.173×10−20m
まとめて表に示す。
Δ−(1232)のラブの自転軌道と公転軌道とその中を回転する4.1MeV のdクオークの軌道と4.9MeV のdクオークの軌道と5.7MeV のdクオークの軌道
表２０
2018007322.tif 000022
Δ−(1232)のラブは3.215×10-18mの軌道を自転し、磁気の光子を作り、4.444×10-14mの軌道を公転し、電気の光子を作っている。
この中を、5.7MeV のdクオークは8.438×10−21mの軌道を左回転し、その外側の4.9MeV のdクオークは9.815×10−21mの軌道を左回転し、更に外側の4.1MeV のdクオークは1.173×10−20mの軌道を左回転している。
【請求項６】
Σ-の構成は、Δ−(1232)のラブとdクオークと、dクオークと、sクオークです。どのような構造になっているか。
Σ-の質量エネルギーは、1197.449MeV＝1197.449×1.602×10-19J×106＝1.918×10-10J、です。
クオークは、4.1MeVのdクオークと5.7MeVのdクオークと130MeVのsクオークとする。
Σ-の質量エネルギー＝Σ-のラブの質量エネルギー＋4.1MeVのdクオーク＋5.7MeVのdクオーク＋130MeVのsクオーク
Σ-のラブの質量エネルギー＝Σ-の質量エネルギー-(4.1MeVのdクオーク＋5.7MeVのdクオーク＋130MeVのsクオーク)＝1197.449MeV-(4.1MeV+5.7MeV＋130MeV)＝1197.449MeV-139.8MeV=1057.649MeV＝1057.649×1.602×10-19J×106＝1.694×10-10J
Σ-のラブの公転軌道＝8.665×10-24Jm÷(1.694×10-10J)＝5.115×10-14m
1公転でできる電気の光子1個のエネルギー＝1.233×10-41Jm÷(5.115×10-14m)＝2.411×10-28J
Σ-のラブの電磁気数＝Σ-のラブの質量エネルギー÷電気の光子1個のエネルギー＝1.694×10-10J÷(2.411×10-28J)＝7.026×1017(個)
磁気の光子の自転軌道＝電気の光子の軌道×3.14÷1公転の自転数＝5.115×10-14m×3.14÷(4.34×104)＝3.701×10-18m
磁気の光子1個のエネルギー＝電気の光子1個のエネルギー÷1公転の自転数＝2.411×10-28J÷(4.34×104回)＝5.555×10-33J
Σ-のラブができた場のA＝地表の電子のラブの公転軌道÷Σ-のラブの公転軌道＝1.058×10-10m÷(5.115×10-14m)＝2.068×103
この事を表に示す。
Σ-を構成する物
表２１
2018007322.tif 000023
【請求項７】
Σ−はΣ−のラブと4.1MeV のdクオークと5.7MeV のdクオークと130MeVのsクオークによって構成される。どのように回転しているか。
Σ−のラブの公転軌道は5.115×10-14mです。
この中をクオークは回転している。
130MeVのsクオークの軌道はいくらか。
軌道＝7.705×10−33Jm ÷クオークのエネルギー＝7.705×10−33Jm÷(130×1.602×10-19J×106)＝7.705×10−33Jm÷(2.083×10-11J)＝3.699×10-22m
5.7MeV のdクオークの軌道はいくらか。
軌道＝7.705×10−33Jm ÷クオークのエネルギー＝7.705×10−33Jm÷(5.7×1.602×10-19J×106)＝7.705×10−33Jm÷(9.131×10−13J)＝8.438×10−21m
4.1MeV のdクオークの軌道はいくらか。
軌道＝7.705×10−33Jm ÷クオークのエネルギー＝7.705×10−33Jm÷(4.1×1.602×10-19J×106)＝7.705×10−33Jm÷(6.568×10−13J)＝1.173×10−20m
まとめて表に示す。
Σ−のラブの自転軌道と公転軌道とその中を回転する4.1MeV のdクオークの軌道と5.7MeV のdクオークの軌道と130 MeV のsクオークの軌道
表２２
2018007322.tif 000024
Σ−のラブは3.701×10-18mの軌道を自転し、磁気の光子を作り、5.115×10-14mの軌道を公転して電気の光子を作っている。
130MeV のsクオークは3.699×10-22mの軌道を左回転している。その外側を5.7MeV のdクオークは8.438×10−21mの軌道を左回転している。更に外側を4.1MeV のdクオークは1.173×10−20mの軌道を左回転している。
【請求項８】
Ξ-の構成は、Ξ-のラブとdクオークと、sクオークと、sクオークです。どのような構造になっているか。
Ξ-の質量エネルギーは1314.9MeV＝1314.9×1.602×10-19J×106＝2.106×10-10Jです。
クオークは、5.7MeVのdクオークと80MeVのsクオークと130MeVのsクオークとする。
Ξ-の質量エネルギー＝Ξ-のラブの質量エネルギー＋5.7MeVのdクオーク＋80MeVのsクオーク＋130MeVのsクオーク
Ξ-のラブの質量エネルギー＝Ξ-の質量エネルギー-(5.7MeVのdクオーク＋80MeVのsクオーク＋130MeVのsクオーク)＝1314.9MeV-(5.7MeV＋80MeV＋130MeV)＝1314.9MeV-215.7MeV=1099.2MeV＝1099.2×1.602×10-19J×106＝1.761×10-10J
Ξ-のラブの公転軌道＝8.665×10-24Jm÷(1.761×10-10J)＝4.920×10-14m
1公転でできる電気の光子1個のエネルギー＝1.233×10-41Jm÷(4.920×10-14m)＝2.506×10-28J
Ξ−のラブの電磁気数＝Ξ-のラブの質量エネルギー÷電気の光子1個のエネルギー＝1.761×10-10J÷(2.506×10-28J)＝7.027×1017(個)
磁気の光子の自転軌道＝電気の光子の軌道×3.14÷1公転の自転数＝4.920×10-14m×3.14÷(4.34×104回)＝3.560×10-18m
磁気の光子1個のエネルギー＝電気の光子1個のエネルギー÷1公転の自転数＝2.506×10-28J÷(4.34×104回)＝5.774×10-33J
Ξ-のラブができた場のA＝地表の電子のラブの公転軌道÷Ξ-のラブの公転軌道＝1.058×10-10m÷(4.920×10-14m)＝2.150×103
この事を表に示す。
Ξ-を構成する物
表２３
2018007322.tif 000025
【請求項９】
Ξ−はΞ−のラブと5.7MeV のdクオークと80MeV のsクオークと130MeVのsクオークによって構成される。どのように回転しているか。
Ξ−のラブの公転軌道は4.920×10-14mです。
この中をクオークは回転している。
80MeVのsクオークの軌道はいくらか。
軌道＝7.705×10−33Jm ÷クオークのエネルギー＝7.705×10−33Jm÷(80×1.602×10-19J×106)＝7.705×10−33Jm÷(1.282×10−11J)＝6.010×10−22m
まとめて表に示す。
Ξ−のラブの自転軌道と公転軌道とその中を回転する5.7MeV のdクオークの軌道と80MeV のsクオークの軌道と130 MeV のsクオークの軌道
表２４
2018007322.tif 000026
Ξ−のラブは3.560×10-18mの軌道を自転し、磁気の光子を作り、4.920×10-14mの軌道を公転し、電気の光子を作っている。
130MeV のsクオークは3.699×10−22mの軌道を左回転している。その外側を80MeVのsクオークは6.010×10−22mの軌道を回転している。更に外側を5.7MeV のdクオークは
8.438×10−21mの軌道を左回転している。
【請求項１０】
Ω-の構成は、Ω-のラブとsクオークと、sクオークと、sクオークです。どのような構造になっているか。
Ω-の質量エネルギーは1672.45MeV＝1672.45×1.602×10-19J×106＝2.679×10-10Jです。
クオークは、80MeVのsクオークと105MeVのsクオークと130MeVのsクオークとする。
Ω-の質量エネルギー＝Ω-のラブの質量エネルギー＋80MeVのsクオーク＋105MeVのsクオーク＋130MeVのsクオーク
Ω-のラブの質量エネルギー=Ω-の質量エネルギー-(80MeVのsクオーク＋105MeVのsクオーク＋130MeVのsクオーク)＝1672.45MeV-(80MeV+105MeV+130MeV)＝1672.45MeV-315MeV＝1357.45MeV＝1357.45×1.602×10-19J×106＝2.175×10-10J
Ω-のラブの公転軌道＝8.665×10-24Jm÷(2.175×10-10J)＝3.984×10-14m
1公転でできる電気の光子1個のエネルギー＝1.233×10-41Jm÷(3.984×10-14m)＝3.095×10-28J
Ω−のラブの電磁気数＝Ω-のラブの質量エネルギー÷電気の光子1個のエネルギー＝2.175×10-10J÷(3.095×10-28J)＝7.027×1017(個)
磁気の光子の自転軌道＝電気の光子の軌道×3.14÷1公転の自転数＝3.984×10-14m×3.14÷(4.34×104回)＝2.882×10-18m
磁気の光子1個のエネルギー＝電気の光子1個のエネルギー÷1公転の自転数＝3.095×10-28J÷(4.34×104回)＝7.131×10-33J
Ω-のラブができた場のA＝地表の電子のラブの公転軌道÷Ω-のラブの公転軌道＝1.058×10-10m÷(3.984×10-14m)＝2.656×103
この事を表に示す。
Ω-を構成する物
表２５
2018007322.tif 000027
【請求項１１】
Ω−はΩ−のラブと80MeV のsクオークと105MeV のsクオークと130MeVのsクオークによって構成される。どのように回転しているか。
Ω−のラブの公転軌道は3.984×10-14mです。
この中をクオークは回転している。
105MeVのsクオークの軌道はいくらか。
軌道＝7.705×10−33Jm ÷クオークのエネルギー＝7.705×10−33Jm÷(105×1.602×10-19J×106)＝7.705×10−33Jm÷(1.682×10−11J)＝4.581×10−22m
まとめて表に示す。
Ω−のラブの自転軌道と公転軌道とその中を回転する80MeV のsクオークの軌道と105MeV のsクオークの軌道と130 MeV のsクオークの軌道
表２６
2018007322.tif 000028
Ω−のラブは2.882×10-18mの軌道を自転し、磁気の光子を作り、1.803 ×10-13mの軌道を公転し、電気の光子を作っている。
130 MeV のsクオークは3.699×10−22mの軌道を左回転している。その外側を105MeV のsクオークは4.581×10−22mの軌道を左回転している。更に外側を80MeV のsクオークは6.010×10−22mの軌道を左回転している。
【請求項１２】
ラブはどのような粒子か。
・Δ−(1232)のラブ
Δ−(1232)のラブの質量エネルギー＝1232MeV-(4.1MeV＋4.9MeV＋5.7MeV)＝1232MeV-14.7MeV=1217.3MeV＝1217.3×1.602×10-19J×106＝1.950×10-10J
Δ−(1232)のラブの公転軌道は、8.665×10-24Jm÷(1.950×10-10J)＝4.444×10-14m、です。
1公転でできる電気の光子1個のエネルギーは、1.233×10-41Jm÷(4.444×10-14m)＝2.775×10-28J、です。
Δ−(1232)のラブの電磁気数は、Δ−(1232)のラブの質量エネルギー÷電気の光子1個のエネルギー＝1.950×10-10J÷(2.775×10-28J)＝7.027×1017(個)
磁気の光子の自転軌道＝電気の光子の公転軌道×3.14÷1公転の自転数＝4.444×10-14m×3.14÷(4.34×104回)＝3.215×10-18m
磁気の光子1個のエネルギー＝電気の光子1個のエネルギー÷1公転の自転数＝2.775×10-28J÷(4.34×104回)＝6.394×10-33J
Δ−(1232)のラブができた場のA＝地表の電子のラブの公転軌道÷Δ−(1232)のラブの公転軌道＝1.058×10-10m÷(4.444×10-14m)＝2.381×103
・Σ-のラブ
Σ-のラブの質量エネルギー＝Σ-の質量エネルギー-(4.1MeVのdクオーク＋5.7MeVのdクオーク＋130MeVのsクオーク)＝1197.449MeV-(4.1MeV+5.7MeV＋130MeV)＝1197.449MeV-139.8MeV=1057.649MeV＝1057.649×1.602×10-19J×106＝1.694×10-10J。これはΔ−(1232)のラブの質量エネルギーの、1.694×10-10J÷(1.950×10-10J)=0.869倍  です。
Σ-のラブの公転軌道＝8.665×10-24Jm÷(1.694×10-10J)＝5.115×10-14m。これはΔ−(1232)のラブの公転軌道の、5.115×10-14m÷(4.444×10-14m)＝1.151倍です。
1公転でできる電気の光子1個のエネルギー＝1.233×10-41Jm÷(5.115×10-14m)＝2.411×10-28J。これはΔ−(1232)のラブの1公転でできる電気の光子1個のエネルギーの、2.411×10-28J÷(2.775×10-28J)＝0.869倍、です。
Σ-のラブの電磁気数＝Σ-のラブの質量エネルギー÷電気の光子1個のエネルギー＝1.694×10-10J÷(2.411×10-28J)＝7.026×1017(個)
磁気の光子の自転軌道＝電気の光子の軌道×3.14÷1公転の自転数＝5.115×10-14m×3.14÷(4.34×104)＝3.701×10-18m
磁気の光子1個のエネルギー＝電気の光子1個のエネルギー÷1公転の自転数＝2.411×10-28J÷(4.34×104回)＝5.555×10-33J
Σ-のラブができた場のA＝地表の電子のラブの公転軌道÷Σ-のラブの公転軌道＝1.058×10-10m÷(5.115×10-14m)＝2.068×103。これはΔ−(1232)のラブのAの、2.068×103÷(2.381×103)＝0.869倍です。
・Ξ-のラブ
Ξ-のラブの質量エネルギー＝Ξ-の質量エネルギー-(5.7MeVのdクオーク＋80MeVのsクオーク＋130MeVのsクオーク)＝1314.9MeV-(5.7MeV＋80MeV＋130MeV)＝1314.9MeV-215.7MeV=1099.2MeV＝1099.2×1.602×10-19J×106＝1.761×10-10J。これはΔ−(1232)のラブの質量エネルギーの、1.761×10-10J÷(1.950×10-10J)=0.903倍です。
Ξ-のラブの公転軌道＝8.665×10-24Jm÷(1.761×10-10J)＝4.920×10-14m。これはΔ−(1232)のラブの公転軌道の、4.920×10-14m÷(4.444×10-14m)＝1.107倍です。
1公転でできる電気の光子1個のエネルギー＝1.233×10-41Jm÷(4.920×10-14m)＝2.506×10-28J。これはΔ−(1232)のラブの1公転でできる電気の光子1個のエネルギーの、2.506×10-28J÷(2.775×10-28J)＝0.903倍です。
Ξ−のラブの電磁気数＝Ξ-のラブの質量エネルギー÷電気の光子1個のエネルギー＝1.761×10-10J÷(2.506×10-28J)＝7.027×1017(個)
磁気の光子の自転軌道＝電気の光子の軌道×3.14÷1公転の自転数＝4.920×10-14m×3.14÷(4.34×104回)＝3.560×10-18m
磁気の光子1個のエネルギー＝電気の光子1個のエネルギー÷1公転の自転数＝2.506×10-28J÷(4.34×104回)＝5.774×10-33J
Ξ-のラブができた場のA＝地表の電子のラブの公転軌道÷Ξ-のラブの公転軌道＝1.058×10-10m÷(4.920×10-14m)＝2.150×103。これはΔ−(1232)のラブのAの、2.150×103÷(2.381×103)=0.903倍です。
・Ω-のラブ
Ω-のラブの質量エネルギー=Ω-の質量エネルギー-(80MeVのsクオーク＋105MeVのsクオーク＋130MeVのsクオーク)＝1672.45MeV-(80MeV+105MeV+130MeV)＝1672.45MeV-315MeV＝1357.45MeV＝1357.45×1.602×10-19J×106＝2.175×10-10J。これはΔ−(1232)のラブの質量エネルギーの、2.175×10-10J÷(1.950×10-10J)=1.115倍です。
Ω-のラブの公転軌道＝8.665×10-24Jm÷(2.175×10-10J)＝3.984×10-14m。これはΔ−(1232)のラブの公転軌道の、3.984×10-14m÷(4.444×10-14m)＝0.896倍です。
1公転でできる電気の光子1個のエネルギー＝1.233×10-41Jm÷(3.984×10-14m)＝3.095×10-28J。これはΔ−(1232)のラブの1公転でできる電気の光子1個のエネルギーの、3.095×10-28J÷(2.775×10-28J)＝1.115倍です。
Ω−のラブの電磁気数＝Ω-のラブの質量エネルギー÷電気の光子1個のエネルギー＝2.175×10-10J÷(3.095×10-28J)＝7.027×1017(個)
磁気の光子の自転軌道＝電気の光子の軌道×3.14÷1公転の自転数＝3.984×10-14m×3.14÷(4.34×104回)＝2.882×10-18m
磁気の光子1個のエネルギー＝電気の光子1個のエネルギー÷1公転の自転数＝3.095×10-28J÷(4.34×104回)＝7.131×10-33J
Ω-のラブができた場のA＝地表の電子のラブの公転軌道÷Ω-のラブの公転軌道＝1.058×10-10m÷(3.984×10-14m)＝2.656×103。これはΔ−(1232)のラブのAの、2.656×103÷(2.381×103)＝1.115倍です。
まとめて表に示す。
Δ−(1232)のラブとΣ-のラブとΞ-のラブとΩ−のラブ
表２７
2018007322.tif 000029
この表により理解できる事
1．太陽の中で、Δ-(1232)、Σ-、Ξ-、Ω-はできた。
2．できた場のAにより、Δ-(1232)、Σ-、Ξ-、Ω-の質量エネルギーは異なる。
3．高エネルギーの場でできる物ほど高エネルギーの電磁気に成り、高エネルギーの粒子になる。軌道は小さくなる。
【請求項１３】
Δ-(1232)、Σ-、Ξ-、Ω-の「粒子の質量と電磁気の質量の統一」はどのようであるか。
「粒子の質量と電磁気の質量の統一」  
粒子＝電磁気1束の電磁気＝7.028×1017個の電磁気＝電磁気1束の粒子＝ラブ
粒子の質量＝E÷ｃ２、の式により粒子(電磁気1束の粒子)の質量を求める。
粒子の質量＝9.628×10-41Jm÷軌道、の式により粒子(電磁気1束の粒子)の質量を求める。
粒子の質量＝1.111×10-17×粒子のエネルギー、の式により粒子(電磁気1束の粒子)の質量を求める。
電磁気1個の粒子の質量＝粒子の質量(電磁気の粒子の質量)÷1束の電磁気数、の式により電磁気1個の粒子の質量を求める。
電磁気1個の粒子の質量＝1.370×10−58Jm÷軌道、の式により電磁気1個の粒子の質量を求める。
電磁気1個の粒子のエネルギー÷電磁気1個の粒子の質量、の値を求める。
・Δ-(1232)のラブ
粒子の質量＝1.950×10-10J÷(9×1016)＝2.167×10-27Kg
粒子の質量＝9.628×10-41Jm÷(4.444×10-14m)＝2.167×10-27Kg
粒子の質量＝1.111×10-17×1.950×10-10J＝2.166×10-27Kg
電磁気1個の粒子の質量＝2.167×10-27Kg÷(7.027×1017個)＝3.084×10-45Kg
電磁気1個の粒子の質量＝1.370×10−58Jm÷(4.444×10-14m)=3.082×10-45Kg
電磁気1個の粒子のエネルギー÷電磁気1個の粒子の質量＝2.775×10-28J÷(3.08４×10-45Kg)＝8.998×1016
Σ-のラブ
粒子の質量＝1.694×10-10J÷(9×1016)＝1.882×10-27Kg
粒子の質量＝9.628×10-41Jm÷(5.115×10-14m)＝1.882×10-27Kg
粒子の質量＝1.111×10-17×1.694×10-10J＝1.882×10-27Kg
電磁気1個の粒子の質量＝1.882×10-27Kg÷(7.026×1017個)＝2.679×10-45Kg
電磁気1個の粒子の質量＝1.370×10−58Jm÷(5.115×10-14m)＝2.678×10-45Kg
電磁気1個の粒子のエネルギー÷電磁気1個の粒子の質量＝2.411×10-28J÷(2.679×10-45Kg)＝9.000×1016
・Ξ-のラブ
粒子の質量＝1.761×10-10J÷(9×1016)＝1.957×10-27Kg
粒子の質量＝9.628×10-41Jm÷(4.920×10-14m)＝1.957×10-27Kg
粒子の質量＝1.111×10-17×1.761×10-10J＝1.956×10-27Kg
電磁気1個の粒子の質量＝1.957×10-27Kg÷(7.027×1017個)＝2.785×10-45Kg
電磁気1個の粒子の質量＝1.370×10−58Jm÷(4.920×10-14m)＝2.785×10-45Kg
電磁気1個の粒子のエネルギー÷電磁気1個の粒子の質量＝2.506×10-28J÷(2.785×10-45Kg)＝8.998×1016
・Ω−のラブ
粒子の質量＝2.175×10-10J÷(9×1016)＝2.417×10-27Kg
粒子の質量＝9.628×10-41Jm÷(3.984×10-14m)＝2.417×10-27Kg
粒子の質量＝1.111×10-17×2.175×10-10J=2.416×10-27Kg
電磁気1個の粒子の質量＝2.417×10-27Kg÷(7.027×1017個)＝3.440×10-45Kg
電磁気1個の粒子の質量＝1.370×10−58Jm÷(3.984×10-14m)=3.439×10-45Kg
電磁気1個の粒子のエネルギー÷電磁気1個の粒子の質量＝3.095×10-28J÷(3.440×10-45Kg)=8.997×1016
この事を表に示す。
ラブの質量エネルギーとラブの公転軌道とラブの電磁気数とラブが1公転で作る電気の光子1個のエネルギーと
粒子の質量＝E÷ｃ２と、粒子の質量=9.628×10-41Jm÷軌道と、粒子の質量＝1.111×10-17×粒子のエネルギーと、電磁気1個の粒子の質量＝粒子の質量÷電磁気数と、電磁気1個の粒子の質量＝1.370×10−58Jm÷軌道と、電磁気1個の粒子のエネルギー÷電磁気1個の粒子の質量  
表２８
2018007322.tif 000030
この事により理解できる事
1．ラブの質量は1.8〜2.4×10−27Kgです。
2．ラブの電磁気1個の質量は2.6〜3.4×10−45Kgです。
3．「Δ-(1232)のラブとΣ-のラブとΞ-のラブとΩ−のラブの粒子の質量とΔ-(1232)のラブとΣ-のラブとΞ-のラブとΩ−のラブの電磁気の質量の統一」は成立する。
【請求項１４】
ラブの中を回転するクオークの質量エネルギーはどのようであるか。
クオークの質量エネルギーはラブの質量エネルギーの何パーセントであるかを理解する。
Δ-(1232)のラブとΣ-のラブとΞ-のラブとΩ−のラブの中を回転する、クオークの質量エネルギー÷ラブの質量エネルギー×100、の値を計算する。
まとめて表に示す。
Δ-(1232)のラブとΣ-のラブとΞ-のラブとΩ−のラブの中を回転するクオークの質量エネルギーはラブの質量エネルギーの何パーセントであるか
表２９
2018007322.tif 000031
この表により理解できる事
1．1番小さい軌道を回転しているクオークの質量ネルギーは、ラブの質量エネルギーの0.47%〜12.3%です。
2番目に小さい軌道を回転しているクオークの質量ネルギーは、ラブの質量エネルギーの0.40%〜7.74%です。
3番目に小さい軌道を回転しているクオークの質量ネルギーは、ラブの質量エネルギーの0.33%〜5.89%です。
【請求項１５】
Δ-(1232)のラブとΣ-のラブとΞ-のラブとΩ−のラブの中を回転するクオークの軌道はどのようであるか。
ラブの中を回転するクオークの軌道をまとめて表に示す。
まとめて表に示す。
ラブの中を回転するクオークの軌道
表３０
2018007322.tif 000032
この事を図示する。
【発明の詳細な説明】
【技術分野】
【０００１】
本発明は、Δ−(1232)、Σー、Ξ−、Ω−に関するものである。
【背景技術】
【０００２】
2016年6月22日に提出した、特願2016−123108の「中性子、Δ0、Σ0、Ξ0」に於いて、次のように考えた。
例えば、中性子の構成はuクオークとdクオークとdクオークと中心の物です。どのような構造になっているか。
中性子は中心の物とuクオークとdクオークとdクオークによって構成される。どのように回転しているか。
中性子のラブについて。
中性子のラブの周囲を回転するクオークの軌道はどのようであるか。
クオークのエネルギーと軌道の関係式、軌道＝2.312×10−24Jm÷クオークのエネルギー、について。
Δ−(1232)、Σー、Ξ−、Ω−についても同じように考える。
【先行技術文献】
【特許文献】
【０００３】
【特許文献１】特願2016−085977
【特許文献１】特願2016−094933
【特許文献１】特願2016−114926
【特許文献１】特願2016−123108
【発明の概要】
【発明が解決しようとする課題】
【０００４】
1．Δ−(1232)の構成は、Δ−(1232)のラブとdクオークと、dクオークと、dクオークです。どのような構造になっているか。
2．Δ−(1232)はΔ−(1232)のラブと4.1MeV のdクオークと4.9MeV のdクオークと5.7MeV のdクオークによって構成される。どのように回転しているか。１
3．軌道とエネルギーの計算
4．クオークの軌道の計算はどのようにするべきか。
5．Δ−(1232)はΔ−(1232)のラブと4.1MeV のdクオークと4.9MeV のdクオークと5.7MeV のdクオークによって構成される。どのように回転しているか。２
6．Σ-の構成は、Δ−(1232)のラブとdクオークと、dクオークと、sクオークです。どのような構造になっているか。
7．Σ−はΣ−のラブと4.1MeV のdクオークと5.7MeV のdクオークと130MeVのsクオークによって構成される。どのように回転しているか。
8．Ξ-の構成は、Ξ-のラブとdクオークと、sクオークと、sクオークです。どのような構造になっているか。
9．Ξ−はΞ−のラブと5.7MeV のdクオークと80MeV のsクオークと130MeVのsクオークによって構成される。どのように回転しているか。
10．Ω-の構成は、Ω-のラブとsクオークと、sクオークと、sクオークです。どのような構造になっているか。
11．Ω−はΩ−のラブと80MeV のsクオークと105MeV のsクオークと130MeVのsクオークによって構成される。どのように回転しているか。
12．ラブはどのような粒子か。
13．Δ-(1232)、Σ-、Ξ-、Ω-の「粒子の質量と電磁気の質量の統一」はどのようであるか。
14．ラブの中を回転するクオークの質量エネルギーはどのようであるか。
15．ラブの中を回転するクオークの軌道はどのようであるか。
【課題を解決するための手段】
【０００５】
1．dクオークは4.1MeV〜5.7MeVですから、4.1MeVのdクオークと、4.9MeVの dクオークと、5.7MeVのdクオークとする。
Δ−(1232)のラブの質量エネルギー＝Δ−(1232)の質量エネルギー-(4.1MeVのdクオーク＋4.9MeVの dクオーク＋5.7MeVのdクオーク)
Δ−(1232)のラブの質量エネルギー＝1232MeV-(4.1MeV＋4.9MeV＋5.7MeV)＝1232MeV-14.7MeV=1217.3MeV＝1217.3×1.602×10-19J×106＝1.950×10-10J
Δ−(1232)のラブの公転軌道はいくらか。1公転でできる電気の光子1個のエネルギーはいくらか。Δ−(1232)のラブは何個の電磁気が1束になっているか。磁気の光子の自転軌道。磁気の光子1個のエネルギー。Δ−(1232)のラブが存在する場のAはいくらか。それらを求める。
2．クオークの軌道＝2.312×10−24Jm÷クオークのエネルギーの式によりクオークの軌道を計算する。
3．電気の光子1個のエネルギーは、1.233×10-41Jm÷(2.532×10-12m)＝4.870×10-30J、です。
クオークは電磁気が6.249×108個集まり、1塊に成ったものですから、このエネルギーは、6.249×108個×4.870×10-30J＝3.043×10-21J、です。
5.7MeV=5.7×1.602×10-19J×106＝9.131×10-13J
5.7MeVは何個の電気の光子のエネルギーか。
9.131×10-13J÷(4.870×10-30J)＝1.875×1017個
5.7MeVは1.875×1017個の電気の光子のエネルギーです。
これは、6.249×108個の何倍か。
1.875×1017個÷(6.249×108個)＝3.000×108倍
これは、6.249×108個の3.000×108倍です。
4．クオークは、電磁気が6.249×108個集まり、塊に成った物であるから、クオークの軌道エネルギーは、電磁気1個の軌道エネルギー×6.249×108＝1.233×10−41Jm×6.249×108＝7.705×10−33Jm、であると考えられる。
5．クオークの軌道＝7.705×10−33Jm÷クオークの質量エネルギーの式により、クオークの軌道を計算する。
6．クオークは、4.1MeVのdクオークと5.7MeVのdクオークと130MeVのsクオークとする。
Σ-の質量エネルギー＝Σ-のラブの質量エネルギー＋4.1MeVのdクオーク＋5.7MeVのdクオーク＋130MeVのsクオーク
Σ-のラブの質量エネルギー＝Σ-の質量エネルギー-(4.1MeVのdクオーク＋5.7MeVのdクオーク＋130MeVのsクオーク)＝1197.449MeV-(4.1MeV+5.7MeV＋130MeV)＝1197.449MeV-139.8MeV=1057.649MeV＝1057.649×1.602×10-19J×106＝1.694×10-10J
Σ-のラブの公転軌道はいくらか。1公転でできる電気の光子1個のエネルギーはいくらか。Σ-のラブは何個の電磁気が1束になっているか。磁気の光子の自転軌道。磁気の光子1個のエネルギー。Σ-のラブが存在する場のAはいくらか。それらを求める。
7．クオークの軌道＝7.705×10−33Jm÷クオークの質量エネルギーの式により、クオークの軌道を計算する。
8．クオークは、5.7MeVのdクオークと80MeVのsクオークと130MeVのsクオークとする。
Ξ-の質量エネルギー＝Ξ-のラブの質量エネルギー＋5.7MeVのdクオーク＋80MeVのsクオーク＋130MeVのsクオーク
Ξ-のラブの質量エネルギー＝Ξ-の質量エネルギー-(5.7MeVのdクオーク＋80MeVのsクオーク＋130MeVのsクオーク)＝1314.9MeV-(5.7MeV＋80MeV＋130MeV)＝1314.9MeV-215.7MeV=1099.2MeV＝1099.2×1.602×10-19J×106＝1.761×10-10J
Ξ-のラブの公転軌道はいくらか。1公転でできる電気の光子1個のエネルギーはいくらか。Ξ-のラブは何個の電磁気が1束になっているか。磁気の光子の自転軌道。磁気の光子1個のエネルギー。Ξ-のラブが存在する場のAはいくらか。それらを求める。
9．クオークの軌道＝7.705×10−33Jm÷クオークの質量エネルギーの式により、クオークの軌道を計算する。
10．クオークは、80MeVのsクオークと105MeVのsクオークと130MeVのsクオークとする。
Ω-の質量エネルギー＝Ω-のラブの質量エネルギー＋80MeVのsクオーク＋105MeVのsクオーク＋130MeVのsクオーク
Ω-のラブの質量エネルギー=Ω-の質量エネルギー-(80MeVのsクオーク＋105MeVのsクオーク＋130MeVのsクオーク)＝1672.45MeV-(80MeV+105MeV+130MeV)＝1672.45MeV-315MeV＝1357.45MeV＝1357.45×1.602×10-19J×106＝2.175×10-10J
Ω-のラブの公転軌道はいくらか。1公転でできる電気の光子1個のエネルギーはいくらか。Ω-のラブは何個の電磁気が1束になっているか。磁気の光子の自転軌道。磁気の光子1個のエネルギー。Ω-のラブが存在する場のAはいくらか。それらを求める。
11．クオークの軌道＝7.705×10−33Jm÷クオークの質量エネルギーの式により、クオークの軌道を計算する。
12．Δ−(1232)のラブとΣ-のラブとΞ-のラブとΩ−のラブがどのように成っているかをまとめる。
13．「粒子の質量と電磁気の質量の統一」  
粒子＝電磁気1束の電磁気＝7.028×1017個の電磁気＝電磁気1束の粒子＝ラブ
粒子の質量＝E÷ｃ２、の式により粒子(電磁気1束の粒子)の質量を求める。
粒子の質量＝9.628×10-41Jm÷軌道、の式により粒子(電磁気1束の粒子)の質量を求める。
粒子の質量＝1.111×10-17×粒子のエネルギー、の式により粒子(電磁気1束の粒子)の質量を求める。
電磁気1個の粒子の質量＝粒子の質量(電磁気の粒子の質量)÷1束の電磁気数、の式により電磁気1個の粒子の質量を求める。
電磁気1個の粒子の質量＝1.370×10−58Jm÷軌道、の式により電磁気1個の粒子の質量を求める。
電磁気1個の粒子のエネルギー÷電磁気1個の粒子の質量、の値を求める。
1４．Δ-(1232)のラブとΣ-のラブとΞ-のラブとΩ−のラブの中を回転する、クオークの質量エネルギー÷ラブの質量エネルギー×100、の値を計算する
15．ラブの中を回転するクオークの軌道をまとめて表に示す。
【発明の効果】
【０００６】
1．Δ−(1232)を構成する物の表を記す。
2．Δ−(1232)のラブの自転軌道と公転軌道とその周囲を回転する4.1MeV のdクオークの軌道と4.9MeV のdクオークの軌道と5.7MeV のdクオークの軌道の表を記す。
3．このように成った原因は、地表のエネルギーを5.7MeVの(3×108)分の1のエネルギー＝9.131×10-13J÷(3×108)=3.044×10-21J、としたからです。
Δ−(1232)の中のクオークのエネルギーは5.7MeVですから、この電磁気の軌道です。
この訂正は次回の特許出願で行う事とする。  
４．軌道エネルギーを表に示す。
5．Δ−(1232)のラブの自転軌道と公転軌道とその中を回転する4.1MeV のdクオークの軌道と4.9MeV のdクオークの軌道と5.7MeV のdクオークの軌道を表に示す。
6．Σ-を構成する物の表を示す。
7．Σ−のラブの自転軌道と公転軌道とその中を回転する4.1MeV のdクオークの軌道と5.7MeV のdクオークの軌道と130 MeV のsクオークの軌道を表に示す。
8．Ξ-を構成する物の表を示す。
9．Ξ−のラブの自転軌道と公転軌道とその中を回転する5.7MeV のdクオークの軌道と80MeV のsクオークの軌道と130 MeV のsクオークの軌道を表に示す。
10．Ω-を構成する物の表を示す。
11．Ω−のラブの自転軌道と公転軌道とその中を回転する80MeV のsクオークの軌道と105MeV のsクオークの軌道と130 MeV のsクオークの軌道を表に示す。
12．Δ−(1232)のラブとΣ-のラブとΞ-のラブとΩ−のラブの事を表に示す。
13．ラブの質量エネルギーとラブの公転軌道とラブの電磁気数とラブが1公転で作る電気の光子1個のエネルギーと
粒子の質量＝E÷ｃ２と、粒子の質量=9.628×10-41Jm÷軌道と、粒子の質量＝1.111×10-17×粒子のエネルギーと、電磁気1個の粒子の質量＝粒子の質量÷電磁気数と、電磁気1個の粒子の質量＝1.370×10−58Jm÷軌道と、電磁気1個の粒子のエネルギー÷電磁気1個の粒子の質量についてを表に示す。
14．Δ-(1232)のラブとΣ-のラブとΞ-のラブとΩ−のラブの中を回転するクオークの質量エネルギーはラブの質量エネルギーの何パーセントであるかを表に示す。
15．Δ-(1232)のラブとΣ-のラブとΞ-のラブとΩ−のラブの中を回転するクオークの軌道を表に示す。これを図示する。
【図面の簡単な説明】
【０００７】
【図１】図１はΔ-(1232)のラブとΣ-のラブとΞ-のラブとΩ−のラブの中を回転するクオークの軌道を図示する。    Δ-(1232)のラブの公転軌道は4.444×10-14mです。3つのクオークを5.7MeVのdクオーク、4.9 MeVのdクオーク、4.1MeVのdクオーク。とする。5.7MeVのdクオークは8.438×10−21mの軌道を左回転する。4.9 MeVのdクオークは9.815×10−21mの軌道を左回転する。4.1MeVのdクオークは1.173×10−20mの軌道を左回転する。Σ-のラブの公転軌道は5.115×10-14mです。3つのクオークを130MeVのsクオーク、5.7MeVのdクオーク、4.1 MeVのdクオークとする。130MeVのsクオークは3.699×10-22mの軌道を左回転する。5.7MeVのdクオークは8.438×10−21mの軌道を左回転する。4.1 MeVのdクオークは1.173×10−20mの軌道を左回転する。Ξ-のラブの公転軌道は4.920×10-14mです。3つのクオークを130MeVのsクオーク、80MeVのsクオーク、5.7MeVのdクオークとする。130MeVのsクオークは3.699×10−22mの軌道を左回転する。80MeVのsクオークは6.010×10−22mの軌道を左回転する。5.7MeVのdクオークは8.438×10−21mの軌道を左回転する。Ω−のラブの公転軌道は3.984×10-14mです。3つのクオークを130MeVのsクオーク、105MeVのsクオーク、80MeVのsクオークとする。130MeVのsクオークは3.699×10−22mの軌道を左回転する。105MeVのsクオークは4.581×10−22mの軌道を左回転する。80MeVのsクオークは6.010×10−22mの軌道を左回転する。
【発明を実施するための形態】
【０００８】
１．    Δ−(1232)の構成は、Δ−(1232)のラブとdクオークと、dクオークと、dクオークです。どのような構造になっているか。
Δ−(1232)の質量エネルギーは1231MeV〜1233MeVですから、中間の値で、1232MeV＝1232×1.602×10-19J×106＝1.974×10-10J とする。
dクオークは4.1MeV〜5.7MeVですから、4.1MeVのdクオークと、4.9MeVの dクオークと、5.7MeVのdクオークとする。
Δ−(1232)の質量エネルギー＝Δ−(1232)のラブの質量エネルギー＋4.1MeVのdクオーク＋4.9MeVの dクオーク＋5.7MeVのdクオーク
Δ−(1232)のラブの質量エネルギー＝Δ−(1232)の質量エネルギー-(4.1MeVのdクオーク＋4.9MeVの dクオーク＋5.7MeVのdクオーク)
Δ−(1232)のラブの質量エネルギー＝1232MeV-(4.1MeV＋4.9MeV＋5.7MeV)＝1232MeV-14.7MeV=1217.3MeV＝1217.3×1.602×10-19J×106＝1.950×10-10J
Δ−(1232)のラブの公転軌道は、8.665×10-24Jm÷(1.950×10-10J)＝4.444×10-14m、です。
1公転でできる電気の光子1個のエネルギーは、1.233×10-41Jm÷(4.444×10-14m)＝2.775×10-28J、です。
Δ−(1232)のラブの電磁気数は、Δ−(1232)のラブの質量エネルギー÷電気の光子1個のエネルギー＝1.950×10-10J÷(2.775×10-28J)＝7.027×1017(個)
磁気の光子の自転軌道＝電気の光子の公転軌道×3.14÷1公転の自転数＝4.444×10-14m×3.14÷(4.34×104回)＝3.215×10-18m
磁気の光子1個のエネルギー＝電気の光子1個のエネルギー÷1公転の自転数＝2.775×10-28J÷(4.34×104回)＝6.394×10-33J
Δ−(1232)のラブができた場のA＝地表の電子のラブの公転軌道÷Δ−(1232)のラブの公転軌道＝1.058×10-10m÷(4.444×10-14m)＝2.381×103
この事を表に示す。
Δ−(1232)を構成する物
表１
2018007322.tif 000003
２．    Δ−(1232)はΔ−(1232)のラブと4.1MeV のdクオークと4.9MeV のdクオークと5.7MeV のdクオークによって構成される。どのように回転しているか。１
Δ−(1232)のラブの公転軌道は4.444×10-14mです。
この周囲をdクオークは回転している。
4.1MeV のdクオークの軌道はいくらか。
軌道＝2.312×10−24Jm÷クオークのエネルギー＝2.312×10−24Jm÷(4.1×1.602×10-19J×106)＝2.312×10−24Jm÷(6.568×10-13J)＝3.520×10-12m
4.1MeV のdクオークの軌道は3.520×10-12mです。
4.9 MeV のdクオークの軌道はいくらか。
軌道＝2.312×10−24Jm÷クオークのエネルギー＝2.312×10−24Jm÷(4.9×1.602×10-19J×106)＝2.312×10−24Jm÷(7.850×10-13J)＝2.945×10-12m
4.9MeV のdクオークの軌道は2.945×10-12mです。
5.7 MeV のdクオークの軌道はいくらか。
軌道＝2.312×10−24Jm÷クオークのエネルギー＝2.312×10−24Jm÷(5.7×1.602×10-19J×106)＝2.312×10−24Jm÷(9.131×10-13J)＝2.532×10-12m
まとめて表に示す。
Δ−(1232)のラブの自転軌道と公転軌道とその周囲を回転する4.1MeV のdクオークの軌道と4.9MeV のdクオークの軌道と5.7MeV のdクオークの軌道
表２
2018007322.tif 000004
Δ−(1232)は、Δ−(1232)のラブが3.215×10-18mの軌道を自転しながら、4.444×10-14mの軌道を公転している。
その外側の2.532×10-12m の軌道を5.7MeV のdクオークは左回転している。更にその外側の2.945×10-12m の軌道を4.9MeV のdクオークは左回転している。最も外側の3.520×10-12m の軌道を4.1MeV のdクオークは左回転している。
３．    軌道とエネルギーの計算
Δ−(1232)のラブは3.215×10-18mの軌道を自転し、作る磁気の光子1個のエネルギーは6.394×10-33Jです。1公転は4.34×104自転ですから、1公転で作る磁気の光子のエネルギーは、6.394×10-33J×4.34×104自転＝2.775×10-28Jです。
同時に、Δ−(1232)のラブは4.444×10-14mの軌道を公転し、1公転で、2.775×10-28Jの電気の光子を作ります。
Δ−(1232)のラブが作る磁気の光子のエネルギーと電気の光子のエネルギーは等しい。
この電気の光子と磁気の光子は、2.532×10-12mの軌道で、6.249×108個結合し1塊に成り5.7MeV のdクオークに成っている。
この電気の光子を結合させているのは、磁気の光子で、磁気の光子の総数は、電気の光子の数×4.34×104自転＝6.249×108個×4.34×104自転＝2.712×1013個、です。
電気の光子1個のエネルギーは、1.233×10-41Jm÷(2.532×10-12m)＝4.870×10-30J、です。
クオークは電磁気が6.249×108個集まり、1塊に成ったものですから、このエネルギーは、6.249×108個×4.870×10-30J＝3.043×10-21J、です。
5.7MeV=5.7×1.602×10-19J×106＝9.131×10-13J
5.7MeVは何個の電気の光子のエネルギーか。
9.131×10-13J÷(4.870×10-30J)＝1.875×1017個
5.7MeVは1.875×1017個の電気の光子のエネルギーです。
これは、6.249×108個の何倍か。
1.875×1017個÷(6.249×108個)＝3.000×108倍
これは、6.249×108個の3.000×108倍です。
即ち、電気の光子の軌道が2.532×10-12mの場合、電気の光子1個のエネルギーは4.870×10-30Jであり、6.249×108個集まったエネルギーは3.043×10-21Jです。
このエネルギーは5.7MeVの3.000×108分の1です。
このように成った原因は、地表のエネルギーを5.7MeVの(3×108)分の1のエネルギー＝9.131×10-13J÷(3×108)=3.044×10-21J、としたからです。
そうすると、電磁気1個のエネルギーは、3.044×10-21J÷(6.249×108個)＝4.871×10−30Jで、この軌道は、1.233×10−41Jm÷(4.871×10−30J)＝2.531×10−12m、です。
Δ−(1232)の中のクオークのエネルギーは5.7MeVですから、この電磁気の軌道です。
即ち、電磁気1個のエネルギーは、5.7MeV÷(6.249×108個)＝9.131×10-13J÷(6.249×108個)＝1.461×10−21J、です。この電磁気の軌道は、1.233×10−41Jm÷(1.461×10−21J)＝8.439×10−21m、です。
これは、2016年5月10日に提出した、特願2016−094933「クオーク２」の高エネルギー加速器の中のデータ−です。
それで、今まで提出した、課題、中心の物とクオークはどのように回転しているか、を訂正しなければならない。
この訂正は次回の特許出願で行う事とする。
この事を表に示す。
2016年5月10日に提出した、特願2016−094933「クオーク２」の高エネルギー加速器の中と地表のデータ−
5.7MeVのdクオークの場合
表３
2018007322.tif 000005
地表のクオークのエネルギーを9.131×10−13J÷(3×108)＝3.044×10−21Jとしている。
それで、軌道は2.531×10−12mになっている。
しかし、地表の5.7MeVのdクオークのエネルギーは5.7MeV＝9.131×10−13Jです。
軌道は8.439×10−21mです。
４．    クオークの軌道の計算はどのようにするべきか。
電子のラブや陽子のラブの軌道は、軌道＝8.665×10−24Jm÷エネルギー、の式で求められた。
電磁気1個の場合は、軌道＝1.233×10−41Jm÷電磁気1個のエネルギー、の式で求められた。
そして、2016年6月9日に提出した、特願2016−114926「陽子、Δ＋(1232)、Σ＋、Λ＋c  」の「請求項１５」に於いて次のように記した。
(15．粒子の軌道エネルギーは8.665×10−24Jmです。電磁気の軌道エネルギーは1.233×10−41Jmです。この事は何を意味するか。
粒子の軌道エネルギーは電磁気の軌道エネルギーの何倍か。
粒子の軌道エネルギー÷電磁気の軌道エネルギー＝8.665×10−24Jm÷(1.233×10−41Jm)＝7.028×1017
粒子の軌道エネルギーは電磁気の軌道エネルギーの7.028×1017倍です。
この事は、電磁気が7.028×1017個集まり粒子に成る事を示す。
この事は、軌道エネルギー＝軌道質量エネルギー、です。
「粒子の質量と電磁気の質量の統一」より、
エネルギー＝質量エネルギー、であるからです。
粒子の軌道エネルギー＝電磁気の軌道エネルギー×7.028×1017
粒子の軌道質量エネルギー＝電磁気の軌道質量エネルギー×7.028×1017
この事は、電磁気が7.028×1017個集まり粒子に成る事を示す)
上記の事より、クオークは、電磁気が6.249×108個集まり、塊に成った物であるから、クオークの軌道エネルギーは、電磁気1個の軌道エネルギー×6.249×108＝1.233×10−41Jm×6.249×108＝7.705×10−33Jm、であると考えられる。
それで、5.7MeVのクオークの軌道は、軌道＝7.705×10−33Jm÷5.7MeV＝7.705×10−33Jm÷(9.131×10-13J)＝8.438×10−21m、です。
このデータ−は、2016年5月10日に提出した、特願2016−094933「クオーク２」の高エネルギー加速器の中のデータ−と同じです。
よって、クオークの軌道エネルギーは、7.705×10−33Jmです。
この事を表に記す。
軌道エネルギー
表４
2018007322.tif 000006
５．    Δ−(1232)はΔ−(1232)のラブと4.1MeV のdクオークと4.9MeV のdクオークと5.7MeV のdクオークによって構成される。どのように回転しているか。２
Δ−(1232)のラブの公転軌道は4.444×10-14mです。
この中をクオークは回転している。
5.7MeVのdクオークの軌道はいくらか。
軌道＝7.705×10−33Jm÷クオークのエネルギー＝7.705×10−33Jm÷(5.7×1.602×10−19J×106)＝7.705×10−33Jm÷(9.131×10−13J)＝8.438×10−21m
4.9MeV のdクオークの軌道はいくらか。
軌道＝7.705×10−33Jm÷クオークのエネルギー＝7.705×10−33Jm÷(4.9×1.602×10−19J×106)＝7.705×10−33Jm÷(7.850×10−13J)＝9.815×10−21m
4.1MeV のdクオークの軌道はいくらか。
軌道＝7.705×10−33Jm ÷クオークのエネルギー＝7.705×10−33Jm÷(4.1×1.602×10-19J×106)＝7.705×10−33Jm÷(6.568×10−13J)＝1.173×10−20m
まとめて表に示す。
Δ−(1232)のラブの自転軌道と公転軌道とその中を回転する4.1MeV のdクオークの軌道と4.9MeV のdクオークの軌道と5.7MeV のdクオークの軌道
表５
2018007322.tif 000007
Δ−(1232)のラブは3.215×10-18mの軌道を自転し、磁気の光子を作り、4.444×10-14mの軌道を公転し、電気の光子を作っている。
この中を、5.7MeV のdクオークは8.438×10−21mの軌道を左回転し、その外側の4.9MeV のdクオークは9.815×10−21mの軌道を左回転し、更に外側の4.1MeV のdクオークは1.173×10−20mの軌道を左回転している。
６．    Σ-の構成は、Δ−(1232)のラブとdクオークと、dクオークと、sクオークです。どのような構造になっているか。
Σ-の質量エネルギーは、1197.449MeV＝1197.449×1.602×10-19J×106＝1.918×10-10J、です。
クオークは、4.1MeVのdクオークと5.7MeVのdクオークと130MeVのsクオークとする。
Σ-の質量エネルギー＝Σ-のラブの質量エネルギー＋4.1MeVのdクオーク＋5.7MeVのdクオーク＋130MeVのsクオーク
Σ-のラブの質量エネルギー＝Σ-の質量エネルギー-(4.1MeVのdクオーク＋5.7MeVのdクオーク＋130MeVのsクオーク)＝1197.449MeV-(4.1MeV+5.7MeV＋130MeV)＝1197.449MeV-139.8MeV=1057.649MeV＝1057.649×1.602×10-19J×106＝1.694×10-10J
Σ-のラブの公転軌道＝8.665×10-24Jm÷(1.694×10-10J)＝5.115×10-14m
1公転でできる電気の光子1個のエネルギー＝1.233×10-41Jm÷(5.115×10-14m)＝2.411×10-28J
Σ-のラブの電磁気数＝Σ-のラブの質量エネルギー÷電気の光子1個のエネルギー＝1.694×10-10J÷(2.411×10-28J)＝7.026×1017(個)
磁気の光子の自転軌道＝電気の光子の軌道×3.14÷1公転の自転数＝5.115×10-14m×3.14÷(4.34×104)＝3.701×10-18m
磁気の光子1個のエネルギー＝電気の光子1個のエネルギー÷1公転の自転数＝2.411×10-28J÷(4.34×104回)＝5.555×10-33J
Σ-のラブができた場のA＝地表の電子のラブの公転軌道÷Σ-のラブの公転軌道＝1.058×10-10m÷(5.115×10-14m)＝2.068×103
この事を表に示す。
Σ-を構成する物
表６
2018007322.tif 000008
７．    Σ−はΣ−のラブと4.1MeV のdクオークと5.7MeV のdクオークと130MeVのsクオークによって構成される。どのように回転しているか。
Σ−のラブの公転軌道は5.115×10-14mです。
この中をクオークは回転している。
130MeVのsクオークの軌道はいくらか。
軌道＝7.705×10−33Jm ÷クオークのエネルギー＝7.705×10−33Jm÷(130×1.602×10-19J×106)＝7.705×10−33Jm÷(2.083×10-11J)＝3.699×10-22m
5.7MeV のdクオークの軌道はいくらか。
軌道＝7.705×10−33Jm ÷クオークのエネルギー＝7.705×10−33Jm÷(5.7×1.602×10-19J×106)＝7.705×10−33Jm÷(9.131×10−13J)＝8.438×10−21m
4.1MeV のdクオークの軌道はいくらか。
軌道＝7.705×10−33Jm ÷クオークのエネルギー＝7.705×10−33Jm÷(4.1×1.602×10-19J×106)＝7.705×10−33Jm÷(6.568×10−13J)＝1.173×10−20m
まとめて表に示す。
Σ−のラブの自転軌道と公転軌道とその中を回転する4.1MeV のdクオークの軌道と5.7MeV のdクオークの軌道と130 MeV のsクオークの軌道
表７
2018007322.tif 000009
Σ−のラブは3.701×10-18mの軌道を自転し、磁気の光子を作り、5.115×10-14mの軌道を公転して電気の光子を作っている。
130MeV のsクオークは3.699×10-22mの軌道を左回転している。その外側を5.7MeV のdクオークは8.438×10−21mの軌道を左回転している。更に外側を4.1MeV のdクオークは1.173×10−20mの軌道を左回転している。
８．    Ξ-の構成は、Ξ-のラブとdクオークと、sクオークと、sクオークです。どのような構造になっているか。
Ξ-の質量エネルギーは1314.9MeV＝1314.9×1.602×10-19J×106＝2.106×10-10Jです。
クオークは、5.7MeVのdクオークと80MeVのsクオークと130MeVのsクオークとする。
Ξ-の質量エネルギー＝Ξ-のラブの質量エネルギー＋5.7MeVのdクオーク＋80MeVのsクオーク＋130MeVのsクオーク
Ξ-のラブの質量エネルギー＝Ξ-の質量エネルギー-(5.7MeVのdクオーク＋80MeVのsクオーク＋130MeVのsクオーク)＝1314.9MeV-(5.7MeV＋80MeV＋130MeV)＝1314.9MeV-215.7MeV=1099.2MeV＝1099.2×1.602×10-19J×106＝1.761×10-10J
Ξ-のラブの公転軌道＝8.665×10-24Jm÷(1.761×10-10J)＝4.920×10-14m
1公転でできる電気の光子1個のエネルギー＝1.233×10-41Jm÷(4.920×10-14m)＝2.506×10-28J
Ξ−のラブの電磁気数＝Ξ-のラブの質量エネルギー÷電気の光子1個のエネルギー＝1.761×10-10J÷(2.506×10-28J)＝7.027×1017(個)
磁気の光子の自転軌道＝電気の光子の軌道×3.14÷1公転の自転数＝4.920×10-14m×3.14÷(4.34×104回)＝3.560×10-18m
磁気の光子1個のエネルギー＝電気の光子1個のエネルギー÷1公転の自転数＝2.506×10-28J÷(4.34×104回)＝5.774×10-33J
Ξ-のラブができた場のA＝地表の電子のラブの公転軌道÷Ξ-のラブの公転軌道＝1.058×10-10m÷(4.920×10-14m)＝2.150×103
この事を表に示す。
Ξ-を構成する物
表８
2018007322.tif 000010
９．    Ξ−はΞ−のラブと5.7MeV のdクオークと80MeV のsクオークと130MeVのsクオークによって構成される。どのように回転しているか。
Ξ−のラブの公転軌道は4.920×10-14mです。
この中をクオークは回転している。
80MeVのsクオークの軌道はいくらか。
軌道＝7.705×10−33Jm ÷クオークのエネルギー＝7.705×10−33Jm÷(80×1.602×10-19J×106)＝7.705×10−33Jm÷(1.282×10−11J)＝6.010×10−22m
まとめて表に示す。
Ξ−のラブの自転軌道と公転軌道とその中を回転する5.7MeV のdクオークの軌道と80MeV のsクオークの軌道と130 MeV のsクオークの軌道
表９
2018007322.tif 000011
Ξ−のラブは3.560×10-18mの軌道を自転し、磁気の光子を作り、4.920×10-14mの軌道を公転し、電気の光子を作っている。
130MeV のsクオークは3.699×10−22mの軌道を左回転している。その外側を80MeVのsクオークは6.010×10−22mの軌道を回転している。更に外側を5.7MeV のdクオークは
8.438×10−21mの軌道を左回転している。
１０．    Ω-の構成は、Ω-のラブとsクオークと、sクオークと、sクオークです。どのような構造になっているか。
Ω-の質量エネルギーは1672.45MeV＝1672.45×1.602×10-19J×106＝2.679×10-10Jです。
クオークは、80MeVのsクオークと105MeVのsクオークと130MeVのsクオークとする。
Ω-の質量エネルギー＝Ω-のラブの質量エネルギー＋80MeVのsクオーク＋105MeVのsクオーク＋130MeVのsクオーク
Ω-のラブの質量エネルギー=Ω-の質量エネルギー-(80MeVのsクオーク＋105MeVのsクオーク＋130MeVのsクオーク)＝1672.45MeV-(80MeV+105MeV+130MeV)＝1672.45MeV-315MeV＝1357.45MeV＝1357.45×1.602×10-19J×106＝2.175×10-10J
Ω-のラブの公転軌道＝8.665×10-24Jm÷(2.175×10-10J)＝3.984×10-14m
1公転でできる電気の光子1個のエネルギー＝1.233×10-41Jm÷(3.984×10-14m)＝3.095×10-28J
Ω−のラブの電磁気数＝Ω-のラブの質量エネルギー÷電気の光子1個のエネルギー＝2.175×10-10J÷(3.095×10-28J)＝7.027×1017(個)
磁気の光子の自転軌道＝電気の光子の軌道×3.14÷1公転の自転数＝3.984×10-14m×3.14÷(4.34×104回)＝2.882×10-18m
磁気の光子1個のエネルギー＝電気の光子1個のエネルギー÷1公転の自転数＝3.095×10-28J÷(4.34×104回)＝7.131×10-33J
Ω-のラブができた場のA＝地表の電子のラブの公転軌道÷Ω-のラブの公転軌道＝1.058×10-10m÷(3.984×10-14m)＝2.656×103
この事を表に示す。
Ω-を構成する物
表１０
2018007322.tif 000012
１１．    Ω−はΩ−のラブと80MeV のsクオークと105MeV のsクオークと130MeVのsクオークによって構成される。どのように回転しているか。
Ω−のラブの公転軌道は3.984×10-14mです。
この中をクオークは回転している。
105MeVのsクオークの軌道はいくらか。
軌道＝7.705×10−33Jm ÷クオークのエネルギー＝7.705×10−33Jm÷(105×1.602×10-19J×106)＝7.705×10−33Jm÷(1.682×10−11J)＝4.581×10−22m
まとめて表に示す。
Ω−のラブの自転軌道と公転軌道とその中を回転する80MeV のsクオークの軌道と105MeV のsクオークの軌道と130 MeV のsクオークの軌道
表１１
2018007322.tif 000013
Ω−のラブは2.882×10-18mの軌道を自転し、磁気の光子を作り、1.803 ×10-13mの軌道を公転し、電気の光子を作っている。
130 MeV のsクオークは3.699×10−22mの軌道を左回転している。その外側を105MeV のsクオークは4.581×10−22mの軌道を左回転している。更に外側を80MeV のsクオークは6.010×10−22mの軌道を左回転している。
１２．    ラブはどのような粒子か。
・Δ−(1232)のラブ
Δ−(1232)のラブの質量エネルギー＝1232MeV-(4.1MeV＋4.9MeV＋5.7MeV)＝1232MeV-14.7MeV=1217.3MeV＝1217.3×1.602×10-19J×106＝1.950×10-10J
Δ−(1232)のラブの公転軌道は、8.665×10-24Jm÷(1.950×10-10J)＝4.444×10-14m、です。
1公転でできる電気の光子1個のエネルギーは、1.233×10-41Jm÷(4.444×10-14m)＝2.775×10-28J、です。
Δ−(1232)のラブの電磁気数は、Δ−(1232)のラブの質量エネルギー÷電気の光子1個のエネルギー＝1.950×10-10J÷(2.775×10-28J)＝7.027×1017(個)
磁気の光子の自転軌道＝電気の光子の公転軌道×3.14÷1公転の自転数＝4.444×10-14m×3.14÷(4.34×104回)＝3.215×10-18m
磁気の光子1個のエネルギー＝電気の光子1個のエネルギー÷1公転の自転数＝2.775×10-28J÷(4.34×104回)＝6.394×10-33J
Δ−(1232)のラブができた場のA＝地表の電子のラブの公転軌道÷Δ−(1232)のラブの公転軌道＝1.058×10-10m÷(4.444×10-14m)＝2.381×103
・Σ-のラブ
Σ-のラブの質量エネルギー＝Σ-の質量エネルギー-(4.1MeVのdクオーク＋5.7MeVのdクオーク＋130MeVのsクオーク)＝1197.449MeV-(4.1MeV+5.7MeV＋130MeV)＝1197.449MeV-139.8MeV=1057.649MeV＝1057.649×1.602×10-19J×106＝1.694×10-10J。これはΔ−(1232)のラブの質量エネルギーの、1.694×10-10J÷(1.950×10-10J)=0.869倍  です。
Σ-のラブの公転軌道＝8.665×10-24Jm÷(1.694×10-10J)＝5.115×10-14m。これはΔ−(1232)のラブの公転軌道の、5.115×10-14m÷(4.444×10-14m)＝1.151倍です。
1公転でできる電気の光子1個のエネルギー＝1.233×10-41Jm÷(5.115×10-14m)＝2.411×10-28J。これはΔ−(1232)のラブの1公転でできる電気の光子1個のエネルギーの、2.411×10-28J÷(2.775×10-28J)＝0.869倍、です。
Σ-のラブの電磁気数＝Σ-のラブの質量エネルギー÷電気の光子1個のエネルギー＝1.694×10-10J÷(2.411×10-28J)＝7.026×1017(個)
磁気の光子の自転軌道＝電気の光子の軌道×3.14÷1公転の自転数＝5.115×10-14m×3.14÷(4.34×104)＝3.701×10-18m
磁気の光子1個のエネルギー＝電気の光子1個のエネルギー÷1公転の自転数＝2.411×10-28J÷(4.34×104回)＝5.555×10-33J
Σ-のラブができた場のA＝地表の電子のラブの公転軌道÷Σ-のラブの公転軌道＝1.058×10-10m÷(5.115×10-14m)＝2.068×103。これはΔ−(1232)のラブのAの、2.068×103÷(2.381×103)＝0.869倍です。
・Ξ-のラブ
Ξ-のラブの質量エネルギー＝Ξ-の質量エネルギー-(5.7MeVのdクオーク＋80MeVのsクオーク＋130MeVのsクオーク)＝1314.9MeV-(5.7MeV＋80MeV＋130MeV)＝1314.9MeV-215.7MeV=1099.2MeV＝1099.2×1.602×10-19J×106＝1.761×10-10J。これはΔ−(1232)のラブの質量エネルギーの、1.761×10-10J÷(1.950×10-10J)=0.903倍です。
Ξ-のラブの公転軌道＝8.665×10-24Jm÷(1.761×10-10J)＝4.920×10-14m。これはΔ−(1232)のラブの公転軌道の、4.920×10-14m÷(4.444×10-14m)＝1.107倍です。
1公転でできる電気の光子1個のエネルギー＝1.233×10-41Jm÷(4.920×10-14m)＝2.506×10-28J。これはΔ−(1232)のラブの1公転でできる電気の光子1個のエネルギーの、2.506×10-28J÷(2.775×10-28J)＝0.903倍です。
Ξ−のラブの電磁気数＝Ξ-のラブの質量エネルギー÷電気の光子1個のエネルギー＝1.761×10-10J÷(2.506×10-28J)＝7.027×1017(個)
磁気の光子の自転軌道＝電気の光子の軌道×3.14÷1公転の自転数＝4.920×10-14m×3.14÷(4.34×104回)＝3.560×10-18m
磁気の光子1個のエネルギー＝電気の光子1個のエネルギー÷1公転の自転数＝2.506×10-28J÷(4.34×104回)＝5.774×10-33J
Ξ-のラブができた場のA＝地表の電子のラブの公転軌道÷Ξ-のラブの公転軌道＝1.058×10-10m÷(4.920×10-14m)＝2.150×103。これはΔ−(1232)のラブのAの、2.150×103÷(2.381×103)=0.903倍です。
・Ω-のラブ
Ω-のラブの質量エネルギー=Ω-の質量エネルギー-(80MeVのsクオーク＋105MeVのsクオーク＋130MeVのsクオーク)＝1672.45MeV-(80MeV+105MeV+130MeV)＝1672.45MeV-315MeV＝1357.45MeV＝1357.45×1.602×10-19J×106＝2.175×10-10J。これはΔ−(1232)のラブの質量エネルギーの、2.175×10-10J÷(1.950×10-10J)=1.115倍です。
Ω-のラブの公転軌道＝8.665×10-24Jm÷(2.175×10-10J)＝3.984×10-14m。これはΔ−(1232)のラブの公転軌道の、3.984×10-14m÷(4.444×10-14m)＝0.896倍です。
1公転でできる電気の光子1個のエネルギー＝1.233×10-41Jm÷(3.984×10-14m)＝3.095×10-28J。これはΔ−(1232)のラブの1公転でできる電気の光子1個のエネルギーの、3.095×10-28J÷(2.775×10-28J)＝1.115倍です。
Ω−のラブの電磁気数＝Ω-のラブの質量エネルギー÷電気の光子1個のエネルギー＝2.175×10-10J÷(3.095×10-28J)＝7.027×1017(個)
磁気の光子の自転軌道＝電気の光子の軌道×3.14÷1公転の自転数＝3.984×10-14m×3.14÷(4.34×104回)＝2.882×10-18m
磁気の光子1個のエネルギー＝電気の光子1個のエネルギー÷1公転の自転数＝3.095×10-28J÷(4.34×104回)＝7.131×10-33J
Ω-のラブができた場のA＝地表の電子のラブの公転軌道÷Ω-のラブの公転軌道＝1.058×10-10m÷(3.984×10-14m)＝2.656×103。これはΔ−(1232)のラブのAの、2.656×103÷(2.381×103)＝1.115倍です。
まとめて表に示す。
Δ−(1232)のラブとΣ-のラブとΞ-のラブとΩ−のラブ
表１２
2018007322.tif 000014
この表により理解できる事
1．太陽の中で、Δ-(1232)、Σ-、Ξ-、Ω-はできた。
2．できた場のAにより、Δ-(1232)、Σ-、Ξ-、Ω-の質量エネルギーは異なる。
3．高エネルギーの場でできる物ほど高エネルギーの電磁気に成り、高エネルギーの粒子になる。軌道は小さくなる。
１３．    Δ-(1232)、Σ-、Ξ-、Ω-の「粒子の質量と電磁気の質量の統一」はどのようであるか。
「粒子の質量と電磁気の質量の統一」  
粒子＝電磁気1束の電磁気＝7.028×1017個の電磁気＝電磁気1束の粒子＝ラブ
粒子の質量＝E÷ｃ２、の式により粒子(電磁気1束の粒子)の質量を求める。
粒子の質量＝9.628×10-41Jm÷軌道、の式により粒子(電磁気1束の粒子)の質量を求める。
粒子の質量＝1.111×10-17×粒子のエネルギー、の式により粒子(電磁気1束の粒子)の質量を求める。
電磁気1個の粒子の質量＝粒子の質量(電磁気の粒子の質量)÷1束の電磁気数、の式により電磁気1個の粒子の質量を求める。
電磁気1個の粒子の質量＝1.370×10−58Jm÷軌道、の式により電磁気1個の粒子の質量を求める。
電磁気1個の粒子のエネルギー÷電磁気1個の粒子の質量、の値を求める。
・Δ-(1232)のラブ
粒子の質量＝1.950×10-10J÷(9×1016)＝2.167×10-27Kg
粒子の質量＝9.628×10-41Jm÷(4.444×10-14m)＝2.167×10-27Kg
粒子の質量＝1.111×10-17×1.950×10-10J＝2.166×10-27Kg
電磁気1個の粒子の質量＝2.167×10-27Kg÷(7.027×1017個)＝3.084×10-45Kg
電磁気1個の粒子の質量＝1.370×10−58Jm÷(4.444×10-14m)=3.082×10-45Kg
電磁気1個の粒子のエネルギー÷電磁気1個の粒子の質量＝2.775×10-28J÷(3.08４×10-45Kg)＝8.998×1016
Σ-のラブ
粒子の質量＝1.694×10-10J÷(9×1016)＝1.882×10-27Kg
粒子の質量＝9.628×10-41Jm÷(5.115×10-14m)＝1.882×10-27Kg
粒子の質量＝1.111×10-17×1.694×10-10J＝1.882×10-27Kg
電磁気1個の粒子の質量＝1.882×10-27Kg÷(7.026×1017個)＝2.679×10-45Kg
電磁気1個の粒子の質量＝1.370×10−58Jm÷(5.115×10-14m)＝2.678×10-45Kg
電磁気1個の粒子のエネルギー÷電磁気1個の粒子の質量＝2.411×10-28J÷(2.679×10-45Kg)＝9.000×1016
・Ξ-のラブ
粒子の質量＝1.761×10-10J÷(9×1016)＝1.957×10-27Kg
粒子の質量＝9.628×10-41Jm÷(4.920×10-14m)＝1.957×10-27Kg
粒子の質量＝1.111×10-17×1.761×10-10J＝1.956×10-27Kg
電磁気1個の粒子の質量＝1.957×10-27Kg÷(7.027×1017個)＝2.785×10-45Kg
電磁気1個の粒子の質量＝1.370×10−58Jm÷(4.920×10-14m)＝2.785×10-45Kg
電磁気1個の粒子のエネルギー÷電磁気1個の粒子の質量＝2.506×10-28J÷(2.785×10-45Kg)＝8.998×1016
・Ω−のラブ
粒子の質量＝2.175×10-10J÷(9×1016)＝2.417×10-27Kg
粒子の質量＝9.628×10-41Jm÷(3.984×10-14m)＝2.417×10-27Kg
粒子の質量＝1.111×10-17×2.175×10-10J=2.416×10-27Kg
電磁気1個の粒子の質量＝2.417×10-27Kg÷(7.027×1017個)＝3.440×10-45Kg
電磁気1個の粒子の質量＝1.370×10−58Jm÷(3.984×10-14m)=3.439×10-45Kg
電磁気1個の粒子のエネルギー÷電磁気1個の粒子の質量＝3.095×10-28J÷(3.440×10-45Kg)=8.997×1016
この事を表に示す。
ラブの質量エネルギーとラブの公転軌道とラブの電磁気数とラブが1公転で作る電気の光子1個のエネルギーと
粒子の質量＝E÷ｃ２と、粒子の質量=9.628×10-41Jm÷軌道と、粒子の質量＝1.111×10-17×粒子のエネルギーと、電磁気1個の粒子の質量＝粒子の質量÷電磁気数と、電磁気1個の粒子の質量＝1.370×10−58Jm÷軌道と、電磁気1個の粒子のエネルギー÷電磁気1個の粒子の質量  
表１３
2018007322.tif 000015
この事により理解できる事
1．ラブの質量は1.8〜2.4×10−27Kgです。
2．ラブの電磁気1個の質量は2.6〜3.4×10−45Kgです。
3．「Δ-(1232)のラブとΣ-のラブとΞ-のラブとΩ−のラブの粒子の質量とΔ-(1232)のラブとΣ-のラブとΞ-のラブとΩ−のラブの電磁気の質量の統一」は成立する。
１４．    ラブの中を回転するクオークの質量エネルギーはどのようであるか。
クオークの質量エネルギーはラブの質量エネルギーの何パーセントであるかを理解する。
Δ-(1232)のラブとΣ-のラブとΞ-のラブとΩ−のラブの中を回転する、クオークの質量エネルギー÷ラブの質量エネルギー×100、の値を計算する。
まとめて表に示す。
Δ-(1232)のラブとΣ-のラブとΞ-のラブとΩ−のラブの中を回転するクオークの質量エネルギーはラブの質量エネルギーの何パーセントであるか
表１４
2018007322.tif 000016
この表により理解できる事
1．1番小さい軌道を回転しているクオークの質量ネルギーは、ラブの質量エネルギーの0.47%〜12.3%です。
2番目に小さい軌道を回転しているクオークの質量ネルギーは、ラブの質量エネルギーの0.40%〜7.74%です。
3番目に小さい軌道を回転しているクオークの質量ネルギーは、ラブの質量エネルギーの0.33%〜5.89%です。
１５．    Δ-(1232)のラブとΣ-のラブとΞ-のラブとΩ−のラブの中を回転するクオークの軌道はどのようであるか。
ラブの中を回転するクオークの軌道をまとめて表に示す。
まとめて表に示す。
ラブの中を回転するクオークの軌道
表１５
2018007322.tif 000017
この事を図示する。
【産業上の利用可能性】
【０００９】
素粒子を知ることは原子や元素を知ることであり、産業の発展に役立つ。
【符号の説明】
【００１０】
１    Δ-(1232)のラブ  
２    Δ-(1232)のラブの公転軌道は4.444×10-14m  
３    Σ-のラブ    
４    Σ-のラブの公転軌道は5.115×10-14m  
５    Ξ-のラブ    
６    Ξ-のラブの公転軌道は4.920×10-14m
７    Ω−のラブ    
８    Ω−のラブの公転軌道は3.984×10-14m
９    5.7MeVのdクオーク  
１０    5.7MeVのdクオークは8.438×10−21mの軌道を左回転
１１    4.9 MeVのdクオーク    
１２    4.9 MeVのdクオークは9.815×10−21mの軌道を左回転    
１３    4.1MeVのdクオーク    
１４    4.1 MeVのdクオークは1.173×10−20mの軌道を左回転    
１５    130MeVのsクオーク    
１６    130MeVのsクオークは3.699×10-22mの軌道を左回転
１７    80MeVのsクオーク    
１８    80MeVのsクオークは6.010×10−22mの軌道を左回転    
１９    105MeVのsクオーク    
２０    105MeVのsクオークは4.581×10−22mの軌道を左回転
【図１】
2018007322.tif 000033